(57)【要約】【課題】複数収納具片の構成で自由に組立、容易に修理出来る連結する収納具片で構成する収納具を提供する。【解決手段】複数の収納具片で構成し、収納具片に隣接する部には接続部を設け、その接続部に凸と凹とで着脱可能な形態を設け、その接続部に嵌合構造にて回転する可動域を設けたことを特微とする連結する収納具片で構成する収納具。【選択図】図５
2019026383.tif 000002
【特許請求の範囲】
【請求項１】
複数の収納具片で構成され、収納具片に隣接する部には接続部を設け、その接続部に凸と凹とで着脱可能な形態を設け、その接続部嵌合部構造により回転する可動域を設けたことを特徴とする連結する収納具片で構成する。
【請求項２】
収納具片との隙間に軟質素材を用いて塞ぐように設けた請求項１の連結する収納具片で構成する収納具。
【請求項３】
収納具片すべてにひとつの絵を印刷することでパズルとして使用するようにした請求項１の連結する収納具片で構成する収納具。
【請求項４】
ま収納具片は、樹脂、金属、木材の硬質な材料を用いた請求項１の連結する収納具片で構成する収納具。
【請求項５】
収納具片形状は、丸、四角、三角、多角形、自由形状でも対応可能で接合する部分にて組み付けられた請求項１の連結する収納具片で構成する収納具。
【請求項６】
収納具に照明部品を備えた請求項１の連結する収納具片で構成する収納具。
【請求項７】
収納具片の接合部に電源供給、データ送信を行う仕組みを組み込んだ請求項１の連結する収納具片で構成する収納具。
【発明の詳細な説明】
【技術分野】
【０００１】この発明は、複数の収納具片を連結部位により結合させた収納具、及び、該収納具全体を一つの造形物にするための複数収納具片結合の収納具に関する。
【背景技術】
【０００２】従来、織物、樹脂シートなど柔らかい素材で縫製されている鞄があった。
また、樹脂、金属など硬い素材で成形パーツを組み立てて製造されているケースがあった。
一定の大きさの円や四角に裁断した生地に連結可能な鉤と穴の加工を施し、それらを組み合わせることで鞄や袋などを作れる生地（特許文献１）が知られている。
【先行技術文献】
【特許文献】
【０００３】
【特許文献１】実用新案登録第３１７９３８１号公報
【発明の概要】
【発明が解決しようとする課題】
【０００４】  そのために次のような問題点があった。
特許文献１では生地を鉤と穴の裁断をするが、鉤状の裁断部に加重が掛かったり、引っ張られて生地の裁断部から裂けてしまう。このような問題点があった。
（イ）鞄の製造にはミシンを用いて生地と生地を縫い合わせる工程を複数繰り返す事で製品を作り出す。その為手作業の工程が多く生産効率が悪かった。消費者の鞄が壊れ修理しなければならない場合は消費者自身ではミシンの設備、技術力が無い問題から自己で修理が不可能だった。
（ロ）ケース製品は、樹脂や金属でパーツを成形し組み立てて製造される。その為、ケース自体の形状は硬く、曲がったり、縮んだりする事が無い、例えば荷物の容量が少ない時も、ケース形状は変わらないのでかさ張っていた。
本発明は、これらの問題点を解決するためになされたものである。
【課題を解決するための手段】
【０００５】（イ）複数の収納具片で構成され、収納具片に隣接する部には接続部を設ける。
（ロ）その接続部に凹凸嵌合で着脱可能な形態にする。
（ハ）その接続部に嵌合部構造により回転する可動域を設ける。
以上を特徴とする連結収納具片で構成する収納具である。
【発明の効果】
【０００６】収納具を製造するのに、従来のようにミシンを用いて生地と生地を縫い合わせる工程を複数繰り返す製造方法では無く、樹脂素材や金属素材を、成形型を用いてパーツを成形機にて機械製造し組み立てる。その為に手作業の部分が大幅に減る事で生産効率が向上する。
収納具の組み付けは収納具片と収納具片どうしを、凹凸嵌合で押し込み連結する事で作業できる為、ミシン操作に必要な感やコツ、習熟を必要としない単純作業になり生産性が向上する。
消費者でも壊れた部分を取り換える事が容易になり、鞄修理の場合には専用の工業ミシンと熟練工が必要で専門の業者に修理をお願いしますが、単純な作業で行えるため消費者自身で修理が可能である。
また、消費者が収納したい容量の縦、横、奥行に合わせ収納具片を複数凹凸嵌合で押し込んで連結する事で必要に応じた大きさの収納具形成が可能である。
成形品であっても収納具片と収納具片の凹凸嵌合部に回転機構を備えており荷物の容量に沿って可動出来てかさ張らなく快適である。
【図面の簡単な説明】
【０００７】
【図１】本発明の斜視図である。
【図２】本発明の背面図である。
【図３】本発明の左側面図である。
【図４】本発明の右側面図である。
【図５】本発明の組み立てられた状態の斜視図である。
【図６】本発明の分解斜視図である。
【図７】本発明のパッキンを付属した斜面図である。
【図８】本発明の収納具片の形状可能な種類の正面図である。
【図９】本発明の全ての面を組み立てられた状態の斜視図である。
【発明を実施するための形態】
【０００８】以下本発明の実施の形態について説明する。
（イ）本発明の収納具片（１）の図１を参考に収納具片土台（５）を中心に上部には収納具片土台（５）裏側より接続されている縦２本の接続部支柱（３）がありその上部先端の間の横に円柱形状の接続部の凸（４）を設けてある。
（ロ）下部には収納具片土台（５）裏側より接続されている縦２本の円柱凹形状の接続部の凹（２）を設けてある。
（ハ）左側には収納具片土台（５）裏側より接続されている横２本の円柱凹形状の接続部の凹（２）を設けてある。右側には収納具片土台（５）裏側より接続されている横２本の接続部支柱（３）がありその右側先端には縦に円柱形状の接続部の凸（４）を設けてある。
（ニ）収納具片（１）同士の接続には上部接続部の凸（４）に別の収納具片（１）の下部円柱凹形状の接続部の凹（２）を凹凸嵌合により押し込み接続し隣接させる。
（ホ）左側接続部の凹（２）に別の収納具片（１）の右側円柱形状の接続部の凸（４）を凹凸嵌合により押し込み接続し隣接させる。下部円柱凹形状の接続部の凹（２）に別の収納具片（１）の上部接続部の凸（４）を凹凸嵌合により押し込み接続し隣接させる。
（ヘ）同様の作業を繰り返し、縦、横、奥行の必要な容量のサイズまで連結して収納形態の収納具として組み立てて構成される。
（ト）収納具片（１）の図１を参考に収納具片土台（５）を中心に上部の縦２本の接続部支柱（３）と先端横の円柱形状の接続部の凸（４）と下部の縦２本の円柱凹形状の接続部の凹（２）と左側の横２本の円柱凹形状の接続部の凹（２）と右側の横２本の接続部支柱（３）と縦の円柱形状の接続部の凸（４）は収納具片土台（５）の裏側に設置され強度を保つために厚みを設ける。
（チ）本発明の収納具片（１）は中心にある収納具片土台（５）と上部の縦２本の接続部支柱（３）とその先端にある横の円柱形状の接続部の凸（４）と下部の縦２本の円柱凹形状の接続部の凹（２）と左側の縦２本の円柱凹形状の接続部の凹（２）と右側の横２本の接続部支柱（３）とその先端の縦の円柱形状の接続部の凸（４）は一体になっている。
（リ）収納具片（１）同士が隣り合った接続部の凸（４）と接続部の凹（２）を凹凸嵌合で押し込み接続する事で外れなくなる、連続した複数の収納具片（１）が収納具として構成される。
（ヌ）接続部の凸（４）と接続部の凹（２）は凹凸嵌合で着脱可能な形態にする。
（ル）その接続部の凸（４）と接続部の凹（２）は凹凸嵌合部の円柱形状により回転する可動域を設ける。
以上を特徴とする連結する複数の収納具片（１）で構成する収納具である。
発明は以上のような構成である。
【０００９】  本発明を使用するときは、収納具片（１）同士を接続させるには、上部接続部の凸（４）に別の収納具片（１）の下部円柱凹形状の接続部の凹（２）を凹凸嵌合により押し込み接続し隣接させる。左側接続部の凹（２）に別の収納具片（１）の右側円柱形状の接続部の凸（４）を凹凸嵌合により押し込み接続し隣接させる。下部円柱凹形状の接続部の凹（２）に別の収納具片（１）の上部接続部の凸（４）を凹凸嵌合により押し込み接続し隣接させる。同様の作業を繰り返し、縦、横、奥行の必要な容量のサイズまで連結して収納形態の収納具として整える。
使用用途に応じて持ち運べるように持ち手（７）や肩掛け紐、背負い紐などを装着しても良い。また、連結した収納具片（１）どうしに接続部の凸（４）と接続部の凹（２）の凹凸嵌合部の円柱形状により回転する可動域を設けてある為、収納具片土台（５）と隣接した収納具片土台（５）には隙間がある。その隙間に収納具片（１）どうしが回転する可動域を制限しないように可動時伸びる軟質素材で防水性を向上するパッキン（６）を装着してもよい。パッキンを装着する事で雨などが収納具内に浸透するのを防いでくれる。
【００１０】前記本発明に関わる収納具の一態様として、収納具の収納具片（１）すべてに一つの絵を印刷する事でパズルとして使用する事が出来る。
前記本発明に関わる収納具の一態様として、すべての面を収納具片で囲う事で図９のような収納具が出来る。この収納具がすべての面を囲うことにより中身の目隠しになる。
また、前記本発明に関わる収納具は、樹脂、金属、木材などの硬質な材料が好ましい。印刷、塗装も容易で生地、皮革などを接着して貼る事も出来、趣向に応じて対応する事が出来る。
【００１１】  前記本発明に関わる収納具の一態様として、図８丸、四角形、三角形、多角形、自由形状でも対応可能で、接合する部分にて組み付けられる。
また、前記本発明に関わる収納具の一態様として、収納具片（１）の収納具片土台（５）構造部を空洞にし、内部に照明と電池を設け外側に照射出来る照明部品を備えても良い。この収納具が照明部品を備える事により、例えば収納具片（１）に照明を備える事で夜間の懐中電灯の代わりにあり手荷物を一つ減らす事が出来る。
【００１２】  前記本発明に関わる収納具の一態様として、収納具片（１）の接続部の凸（４）と接続部の凹（２）部分に電源供給、データ送受信を行う仕組みを組み込んでも良い。収納具片（１）ごとに一つの装置となり連結することで装置も拡張される。収納具としての収納機能と電子装置を備えることにより、例えば収納具片（１）に加速度センサーを備える事で万歩計の代わりになりデータ送受信出来る事で運動量の記録ができ、さらに荷物を一つ減らすことが出来る。
また、例えば収納具片（１）に電磁気センサーを備える事で帰宅、会社に出勤する情報が収納具により発信出来安否確認に最適である。
【００１３】  例えば異なるセンサーを複数備えた収納具片（１）を持つことにより収納具ひとつで複数のセンサー機能を集約する事が出来最適である。
【符号の説明】
【００１４】１  収納具片
２  接続部の凹
３  接合部の支柱
４  接合部の凸
５  収納具片土台
６  パッキン
７  持ち手
【図１】
2019026383.tif 000003
【図２】
2019026383.tif 000004
【図３】
2019026383.tif 000005
【図４】
2019026383.tif 000006
【図５】
2019026383.tif 000007
【図６】
2019026383.tif 000008
【図７】
2019026383.tif 000009
【図８】
2019026383.tif 000010
【図９】
2019026383.tif 000011